(57)【要約】【課題】高所位置に取り付けられる照明器具の保守点検や照明球の交換などの作業を、地上などの低所位置にて安全かつ容易に行うことができ、しかも、取換え作業にかかるコストを安価に抑えることのできる照明器具の着脱装置の提供を目的とする。【解決手段】高所位置に取り付けられるブラケットと、前記ブラケットに着脱自在に取り付けられる照明器具ホルダーと、低所からの操作で前記照明器具ホルダーを前記ブラケットに着脱させる着脱操作ポールとを備えており、前記照明器具ホルダーは、前記着脱操作ポールの先端部分を嵌合するようになっているとともに、前記先端部分を嵌合した状態にある着脱操作ポールの操作に対応して、照明器具ホルダーがブラケットにロックされた状態またはロック解除された状態となるように切り換え可能となる切り換え手段を備えたポール嵌合部が設けられている構成とした。【選択図】      図１
2005071691.tif 000002
【特許請求の範囲】
【請求項１】
高所位置に取り付けられるブラケットと、前記ブラケットに着脱自在に取り付けられる照明器具ホルダーと、低所からの操作で前記照明器具ホルダーを前記ブラケットに着脱させる着脱操作ポールとを備えており、
前記照明器具ホルダーは、前記着脱操作ポールの先端部分を嵌合するようになっているとともに、前記先端部分を嵌合した状態にある着脱操作ポールの操作に対応して、照明器具ホルダーがブラケットにロックされた状態またはロック解除された状態となるように切り換え可能となる切り換え手段を備えたポール嵌合部が設けられている照明器具の着脱装置。
【請求項２】
ブラケットが、着脱操作ポールを介して照明器具ホルダーを装着可能なホルダー装着部を備えているとともに、
照明器具ホルダーが、ポール嵌合部に嵌合させた着脱操作ポールを回転させることで前記ホルダー挿入口から挿入させた照明器具ホルダーがブラケットにロックされた状態またはロック解除された状態となるように切り替える回転ロック手段を備えている請求項１に記載の照明器具の着脱装置。
【請求項３】
着脱操作ポールの内部に、着脱操作ポールの先端側と後端側とをループ状態で連結されてなるタイミングベルトと、前記タイミングベルトの駆動源となるタイミングギアとを備えている空間が形成され、
着脱操作ポールの外部に、照明器具ホルダーを載置可能であるとともに、タイミングベルトの動きに合わせて着脱操作ポールの長手方向に沿って昇降する器具昇降台が設けられている請求項１または請求項２に記載の照明器具の着脱装置。
【発明の詳細な説明】
【技術分野】
【０００１】
本発明は、高所に取り付けられる照明器具の保守及び点検を容易に行うことができる照明器具の着脱装置に関する。
【背景技術】
【０００２】
従来、屋内や屋外の高所位置に設置された照明器具の保守点検や照明球の交換などは、たとえば、屋外における電柱やポールなどに取り付けられている照明器具の交換を行う場合、作業者が直接に電柱やポールを登ったり、長尺の梯子や高所作業車などを利用して高所位置にて作業を行わなければならない。
【０００３】
高所位置での作業は、地上と比べて安定性が悪く、自由に動ける範囲も限られているため、作業性が悪くなってしまうばかりか、安全上問題がある。また、高所作業車などを使用した場合、安全性は確保できるかもしれないが、道路占有による通行障害その他使用許可等の手間がかかるとともに、作業に要するコストが非常に高くなってしまうという問題がある。
【０００４】
同様に、屋内の天井などに取り付けられている照明器具の保守点検や照明球の交換などについてもまた、高所作業を行う際には、踏み台や梯子などを利用しなければならず、安定性の悪い所での作業は、作業効率が悪く危険も伴うという問題がある。
【０００５】
そこで、上述した問題を解決するために、屋内屋外の高所位置に設置される照明器具の中には、照明器具本体に昇降機モーターを組み込み、ワイヤーで照明球を昇降させる構造をしている昇降照明装置が提案されている（たとえば、特許文献１、特許文献２、特許文献３参照。）。
また、照明付きの伸縮嵌合管を昇降させて高所位置から低所位置まで照明器具を移動させることが可能な伸縮嵌合管昇降装置についての提案もなされている（たとえば、特許文献４参照。）。
【０００６】
【特許文献１】特公昭５０−３８４２８号公報
【特許文献２】特公平４−３７５２１号公報
【特許文献３】実公昭５９−３４３８号公報
【特許文献４】特開平７−２９１０２７号公報
【０００７】
しかし、照明器具本体に昇降機モーターを組み込み、ワイヤーで照明球を昇降させる構造をしている昇降照明装置は、この昇降照明装置自身の構造が複雑なものとなり、高価格となるため普及しにくいという問題がある。
また、伸縮嵌合管昇降装置は、上述したワイヤーで灯具を昇降させる構造をしている昇降照明装置と同様に、高価格となるだけでなく、室内の天井に取り付ける照明具に利用することができないという問題がある。
【発明の開示】
【発明が解決しようとする課題】
【０００８】
本発明は、上記事情に鑑みて、高所位置に取り付けられる照明器具の保守点検や照明球の交換などの作業を、地上などの低所位置にて安全かつ容易に行うことができ、しかも、取換え作業にかかるコストを安価に抑えることのできる照明器具の着脱装置の提供を目的としている。
【課題を解決するための手段】
【０００９】
上記目的を達成するために、本発明の請求項１にかかる照明器具の着脱装置（以下、「請求項１の着脱装置」と記す。）は、高所位置に取り付けられるブラケットと、前記ブラケットに着脱自在に取り付けられる照明器具ホルダーと、低所からの操作で前記照明器具ホルダーを前記ブラケットに着脱させる着脱操作ポールとを備えており、前記照明器具ホルダーは、前記着脱操作ポールの先端部分を嵌合するようになっているとともに、前記先端部分を嵌合した状態にある着脱操作ポールの操作に対応して、照明器具ホルダーがブラケットにロックされた状態またはロック解除された状態となるように切り換え可能となる切り換え手段を備えたポール嵌合部が設けられている構成とした。
【００１０】
また、本発明の請求項２にかかる照明器具の着脱装置（以下、「請求項２の着脱装置」と記す。）は、請求項１の着脱装置の構成に加えて、ブラケットが、着脱操作ポールを介して照明器具ホルダーを装着可能なホルダー装着部を備えているとともに、照明器具ホルダーが、ポール嵌合部に嵌合させた着脱操作ポールを回転させることで前記ホルダー挿入口から挿入させた照明器具ホルダーがブラケットにロックされた状態またはロック解除された状態となるように切り替える回転ロック手段を備えている構成とした。
【００１１】
また、本発明の請求項３にかかる照明器具の着脱装置（以下、「請求項３の着脱装置」と記す。）は、請求項１の着脱装置または請求項２の着脱装置の構成に加えて、着脱操作ポールの内部に、着脱操作ポールの先端側と後端側とをループ状態で連結されてなるタイミングベルトと、前記タイミングベルトの駆動源となるタイミングギアとを備えている空間が形成され、着脱操作ポールの外部に、照明器具ホルダーを載置可能であるとともに、タイミングベルトの動きに合わせて着脱操作ポールの長手方向に沿って昇降する器具昇降台が設けられている構成とした。
【００１２】
上記構成において、ブラケットは、高所位置であれば、電柱やポールなどの柱体に取り付けられていても良いし、天井や壁などに取り付けられていていても構わない。
照明器具ホルダーは、照明器具として、たとえば、蛍光灯、白熱灯などどのような種類の灯具を支持してもよく、特に限定されない。
【００１３】
また、照明器具ホルダーに設けられているポール嵌合部は、照明器具ホルダーをブラケットにロック状態またはロック解除状態に切り替える切り換え手段として、どのような方式を採用しても良く、特に限定されないが、たとえば、請求項２の着脱装置のように、着脱操作ポールを回転させたり、ポール嵌合部に嵌合した着脱操作ポールを嵌合面に押し付けたり、嵌合した着脱操作ポールを何れかの方向に傾けたりすることなどが挙げられる。
【００１４】
また、切り換え手段を切り替えるときは、着脱操作ポールを手動で動かすような構成をしていてもよいし、電動モーターなどを動力源として着脱操作ポールの少なくとも先端部分が動くような構成をしていても良い。
【００１５】
着脱操作ポールは、タイミングギアの動力源として、電動モーターを使用しても良いし、手動式のハンドルを使用しても良いし特に限定されない。
また、電動モーターを使用する場合は、ＤＣ電源で駆動するものであっても、ＡＣ電電で駆動するものであっても良いが、着脱操作ポールを小型化し、扱いやすさを追求するのであれば、ＤＣバッテリーによるＤＣ電源を使用することが好ましい。
【００１６】
また、タイミングギアは、タイミングベルトがベルト状をしている場合はプーリが用いられるようにして、タイミングベルトがチェーン形状をしている場合はギアが用いられるようにするなど、タイミングベルトと噛み合う構造をしていれば、タイミングベルトの形状により適宜決定すればよく、特に限定されない。
【発明の効果】
【００１７】
本発明によれば、今まで、手間やコストがかかり、熟練の技術を必要としていた高所に取り付けられた照明器具の保守点検を、地上からの容易な操作で安全しかも確実に行うことができるようになり、保守点検に要するコストを大幅に削減することが可能となる。
【発明を実施するための最良の形態】
【００１８】
以下に、本発明を、その実施の形態をあらわす図面を参照しつつ詳しく説明する。
図１は、本発明の一実施形態の照明器具着脱装置が電柱に取り付けられている様子を示した側面図である。
照明器具着脱装置１は、ブラケット２と、着脱操作ポール３と、器具ホルダー４と、器具昇降台５とを備えている。
【００１９】
ブラケット２は、図２および図５に示したように、下部ロック穴２１と、着脱ポール固定板２２と、器具ホルダー固定板２３と、電源供給プラグ２４と、回転ロック板２５と、押さえスプリング２６と、ヒューズホルダー２７と、ブラケット取り付け用金具２８とを備えている。
【００２０】
下部ロック穴２１は、図５に示したように、ブラケット２の下部３箇所に設けられ、器具ホルダー４の下部器具固定片４３を嵌合させるようになっている。
着脱ポール固定板２２は、図５に示したように、器具ホルダー４の上ロック部４５を挿通させる大きさをしている切り欠き部２２ａを四箇所に備えた円形のプレート形状をしている。
【００２１】
器具ホルダー固定板２３は、図５に示したように、ブラケット２内の着脱ポール固定板２２の上方に配置されるようになっており、鉤状の切り欠き部２３ａを四箇所に備えている。
鉤状の切り欠き部２３ａは、下方に配置させる着脱ポール固定板２２の切り欠き部２２ａと重なるように配置させることで、器具ホルダー４の上ロック部４５が挿通されるようになっており、さらに上ロック部４５を挿通させた後に、器具ホルダー４を２５度の角度で回転させると、器具ホルダー４がロックされた状態となり、このロックされた状態が解除されにくくなるように、さらに６５度の遊びが設けられている。
すなわち、鉤状の切り欠き部２３ａが設けられていることにより、着脱操作ポール３を９０度回転させることで、ブラケット２に器具ホルダー４がロックされた状態となり、下方に抜け落ちないようにすることが可能となる。
【００２２】
電源供給プラグ２４は、回転ロック板２５に設けられており、後述する灯具１０の電源の供給口となっている。
回転ロック板２５は、上方から押さえスプリング２６により下方に付勢されており、ブラケット２に取り付け固定させた器具ホルダー４がセットした位置から振動などにより外れるのを防止固定するようになっている。
【００２３】
押さえスプリング２６は、一端がブラケット２内部の上面部分であるヒューズホルダー２７に取り付けられているとともに、他端が回転ロック板２５に取り付けられており、上述したように回転ロック板２５を下方に付勢している。
ヒューズホルダー２７は、ブラケット２の上方部分に設けられており、図示していないが、内部にヒューズが収納されている。
【００２４】
ブラケット取り付け用金具２８は、図１および図２に示したように、電柱Ｐに巻回された取り付けバンド９に連結されるようになっており、電柱Ｐの所定位置に取り付け固定されるようになっている。
【００２５】
着脱操作ポール３は、図１、図４および図５に示したように、地上から灯具１０が取り付けられる位置まで届く長さをしている円筒形状をしたポール本体３０と、ポール本体３０の先端部分を形成するポールヘッド３１と、ポール本体３０の根元側を形成する操作部３２とを備えている。
ポール本体３０は、図４および図５に示したように、中空となっている部分に、タイミングベルト３０１、タイミングベルト溝３０２、上部タイミングギア３０３、下部タイミングギア３０４、バッテリパック３０５、ギアボックス３０６を備えている。
【００２６】
タイミングベルト３０１は、タイミングベルト溝３０２に沿って、ポール本体２内の上部タイミングギア３０３と、下部タイミングギア３０４との間を回転自在となるように無端状態で取り付けられており、下部タイミングギア３０４の駆動により自在に回転するようになっている。
【００２７】
タイミングベルト溝３０２は、図５に示したように、対向する位置の二箇所でポール本体２内部の一端から他端まで設けられており、タイミングベルト３０１に取り付けられた後述の器具昇降台５をポール本体３０の軸方向に沿ってガイドするようになっている。
上部タイミングギア３０３は、着脱操作ポール３内の先端位置に設けられ、タイミングベルト３０１の動きに合わせて、このタイミングベルト３０１が弛まないように回転するようになっている。
【００２８】
下部タイミングギア３０４は、バッテリパック３０５に入っている充電池を電源として、ギアボックス３０６内に配置されているＤＣモーター３０７のギアヘッド３０８の動きに連動して回転するようになっており、タイミングベルト３０１の駆動源となっている。
ポールヘッド３１は、図５に示したように、器具ホルダー固定回転歯３１１と、着脱操作ポール固定歯３１２とを備えている。
【００２９】
器具ホルダー固定回転歯３１１は、ポールヘッド３１の先端部分に形成されており、ブラケット２の下方から挿入したとき、器具ホルダー固定板２３と噛み合うようになっている。
着脱操作ポール固定歯３１２は、ポールヘッド３１における器具ホルダー固定回転歯３１１の下方部分に形成されており、ブラケット２の下方から挿入したとき、着脱ポール固定板２２と噛み合うようになっている。
【００３０】
器具ホルダー４は、図２および図５に示したように、操作ポール挿入口４０と、電源受け側コンセント４１と、照明器具取り付け部４２と、下部器具固定片４３と、器具引き抜き用ピン穴４４と、器具ホルダー上部ロック４５とを備えている。
操作ポール挿入口４０は、着脱操作ポール３を、ポールヘッド３１の先端部分が回転ロック板２５に臨む位置まで挿入可能な大きさをしている。
電源受け側コンセント４１は、図５に示したように、器具ホルダー上部ロック４５の上面に設けられており、ブラケット２の電源供給プラグ２４に差し込むようになっている。
【００３１】
照明器具取り付け部４２は、器具ホルダー４の側面部分に設けられており、照明器具としての灯具１０が取り付けられるようになっている。
下部器具固定片４３は、器具昇降台５に設けられている器具引き抜き用ピン５１を嵌合させる器具引き抜き用ピン穴４４が設けられており、器具ホルダー４を器具昇降台５上に取り付け固定した状態で器具昇降台５を昇降させても、器具ホルダー４が器具昇降台５から外れることを防止するようになっている。
【００３２】
器具ホルダー上部ロック４５は、器具ホルダー固定板２３の鉤状の切り欠き部２３ａに差し込むことにより、器具ホルダー４をブラケット２に固定ロックするようになっている。
器具昇降台５は、図６に示したように、タイミングベルト調整ボルト５２およびタイミングベルトテンションスプリング５３により、タイミングベルト３０１に取り付けられており、タイミングベルト溝３０２に沿って、タイミングベルト３０１に取り付けられており、タイミングベルト３０１の動きに合わせて、着脱操作ポール３のポール本体３０に沿って昇降するようになっている。
【００３３】
また、器具昇降台５は、図５に示したように、器具引き抜き用ピン５１を三箇所に備えている。
器具引き抜き用ピン５１は、器具ホルダー４の器具引き抜き用ピン穴４４に挿入されるようにようになっており、この挿入により、器具昇降台５上に器具ホルダー４を載置固定するようになっている。また、器具引き抜き用ピン５１は、器具ホルダー４の下部器具固定片４３をブラケット２の固定穴２１に固定および解除させるように器具ホルダー４を動かすときの引っ掛かり部としての役割も有する。
【００３４】
次に、照明器具着脱装置１の使用例について説明する。
まず、図１に示したように、電柱Ｐの所定の高さ位置に取り付けられている灯具１０が取り付けられているブラケット２の下方に着脱操作ポール３のポールヘッド３１を差し入れる。
このとき、ブラケット２の内部は、図３に示したように器具ホルダー４が取り付けロックされた状態にある。
【００３５】
その後、着脱操作ポール３の操作ボタン３３を操作して、器具昇降台５を上昇させて、器具引き抜き用ピン５１を器具ホルダー４の器具引き抜き用ピン穴４４に嵌合させる。
次に、着脱操作ポール３をポール軸を中心に９０度回転させると、遊びが設けられている６５度の角度を差し引いた２５℃の角度で器具ホルダー４が回転し、ブラケット２の下部ロック穴２１に嵌合ロックされている器具ホルダー４の下部器具固定片４３のロック状態を解除する。
【００３６】
また、着脱操作ポール３をポール軸を中心に９０度回転させることで、ポールヘッド３１の器具ホルダー固定板回転歯３１１が、ブラケット２の器具ホルダー固定板２３を回転させて、鉤状の切り欠き部２３ａに嵌合状態となっている器具ホルダー４の上ロック部４５のロック状態を解除する。
【００３７】
以上までの操作により、器具ホルダー４は、ブラケット２から取り外された状態となっており、着脱操作ポール３に設けられている器具昇降台５上に載置固定されている状態にある。
次に、着脱操作ポール３の操作ボタン３３を操作して、器具ホルダー４が載置固定されている状態の器具昇降台５を下降させて、地上で作業が行える位置まで器具ホルダー４を移動させる。
【００３８】
その後、地上に移動させた器具ホルダー４に取り付けられている灯具１０を新しいものに付け替えたり、保守点検を行ったりする。
保守点検を終えた新しい灯具１０に付け替えられた器具ホルダー４を、器具引き抜き用ピン５１に嵌合させた状態で器具昇降台５を上昇させて、器具ホルダー４をブラケット２に収納させる。
【００３９】
着脱操作ポール３を、ブラケット２と器具ホルダー４とのロック状態を解除したときと反対側に４５度回転させて、ブラケット２の下部ロック穴２１に器具ホルダー４の下部器具固定片４３を嵌合ロックさせるとともに、同様に９０度回転させて、ブラケット２の器具ホルダー固定板２３の鉤状の切り欠き部２３ａに器具ホルダー４の上ロック部４５を嵌合ロックさせる。
【００４０】
以上のことより、照明器具着脱装置１を使用すると、高所にある照明器具の保守点検や灯具の交換など、非常に手間がかかる作業であっても、地上から着脱操作ポール３を操作するだけで手元に器具ホルダー４および灯具１０を移動させることが可能となるため、安全にしかも容易に作業を行うことが可能となる。
【００４１】
なお、本発明にかかる照明器具着脱装置は、上記実施の形態に限定されない。
たとえば、上記実施の形態では、ブラケット２が、電柱Ｐに取り付けられていたが、天井や壁などにブラケットが取り付けられていても上述したのと同様に容易に照明器具の着脱を行うことが可能である。
【００４２】
また、着脱操作ポール３は、バッテリー電源を動力源として器具昇降台５を昇降していたが、たとえば、釣りざおに用いられるリールのような部材を使用して、手動で昇降させるような構成をしていても構わない。
また、器具ホルダー４は、図示したような灯具に限らず、各種照明器具を取り付けれるような構成にしても構わない。
【産業上の利用可能性】
【００４３】
本発明にかかる照明器具着脱装置は、以上のように構成されているので、高所作業車を使用しなくても、熟練した技術を要することなく、高所に取り付けられている照明器具を容易に着脱することが可能となる。
したがって、高所作業車を使用するための許可を取ったりする手間が省けると共に、従来よりも照明器具の取換えにかかったコストを低く抑えることができる。
また、高所で作業を行わなくてよいため、作業者の安全確保を図ることが可能となる。
さらに、本発明にかかる照明器具着脱装置は、複雑な構成をしておらず、安価に製造することができるため、保守経費の低価格化も図ることができる。
【図面の簡単な説明】
【００４４】
【図１】本発明にかかる照明器具着脱装置を使用して照明器具の着脱を行う様子を示した側面図である。
【図２】図１に示した照明器具着脱装置のブラケットへの取り付け構造を示した側面図である。
【図３】ブラケットに器具ホルダーが嵌合している状態を示した側面図である。
【図４】着脱操作ポールを示した正面図である。
【図５】照明器具着脱装置を示した分解斜視図である。
【図６】器具昇降台が着脱操作ポールに取り付けられている様子を示した概念図である。
【符号の説明】
【００４５】
１              照明器具着脱装置
２              ブラケット
３              着脱操作ポール
４              器具ホルダー
５              器具昇降台
Ｐ              電柱
【図１】
2005071691.tif 000003
【図２】
2005071691.tif 000004
【図３】
2005071691.tif 000005
【図４】
2005071691.tif 000006
【図５】
2005071691.tif 000007
【図６】
2005071691.tif 000008